(57)【要約】【課題】背骨が前側に丸く曲がった脊椎後彎症である円背の老人が車椅子に座った場合に、その者の骨盤を支え、叉膝裏側の大腿部を支え、さらに坐骨側が座面上で前方側にずれて車椅子からずり落ちるのを防いで、一定時間快適に車椅子に座り続けることのできる車椅子を提供する。【解決手段】車椅子１の背部側２から座部側３にわたって取り付けられる背座部ベースシート４を備え、上記背部側２から座部側３に変わる箇所となるベースシート曲がり部４ａの位置を前後に調整して取り付け、下端側に骨盤サポート５１を備えた背もたれクッション５を背座部ベースシート４の背部側２に取り付けて、骨盤サポート５１をベースシート曲がり部４ａに対応させ、前部側に膨らみ部６１を備えた座面クッション６を背座部ベースシート４の座部側３に取り付けた。【選択図】        図１
2019058357.tif 000002
【特許請求の範囲】
【請求項１】
車椅子の背部側から座部側にわたって取り付けられる背座部ベースシートを備え、上記背部側から座部側に変わる箇所となるベースシート曲がり部の位置を前後に調整して上記背座部ベースシートを上記車椅子に取り付け、下端側に骨盤サポートを備えた背もたれクッションを上記背座部ベースシートの上記背部側の表面に取り付けて、当該背もたれクッション下端側の上記骨盤サポートを上記ベースシート曲がり部に対応させ、前部側の座面表面に上向きに凸状の膨らみ部を備えた座面クッションを上記背座部ベースシートの上記座部側の表面に取り付け、車椅子に座る背中が曲がった円背者の骨盤を上記背もたれクッションの下端側の骨盤サポートで支え、当該円背者の座骨の前方への滑りを上記座面クッションの前部側の膨らみ部で防ぐことを特徴とする車椅子。
【請求項２】
座面クッションの前端とその前方のキャスターとの間の下方に、足載せ用のフットレストが設けられる請求項１記載の車椅子。
【請求項３】
骨盤サポートは、クッション材と、該クッション材に取り付けられた骨盤支持プレートからなる請求項１記載の車椅子。
【請求項４】
座面クッションは、クッション材と、座面クッションの前部側のクッション材の下面側に取り付けられた骨盤支持プレートからなる請求項１記載の車椅子。
【発明の詳細な説明】
【技術分野】
【０００１】
この発明は、足腰の衰えた老人用の車椅子に係り、特に、背骨が前側に丸く曲がった脊椎後彎症である円背の老人が快適に座ることのできる車椅子に関するものである。
【背景技術】
【０００２】
車椅子は、病人、老人、障害者などの非健常者が座ったままで移動するために使用されるもので、自動車などに積んで簡単に持ち運べるように、背もたれや座面がその中央で簡単に折りたためる構造になっているものが多い。このため、背もたれや座面の造りは折り畳みやすいように簡単な構造になっており、その結果座り心地が犠牲にされている。
【先行技術文献】
【特許文献】
【０００３】
【特許文献１】特開平０２−４６８４５
【特許文献２】特開２０１０−９９４５３
【発明の概要】
【発明が解決しようとする課題】
【０００４】
ところで、背骨が前側に丸く曲がった脊椎後彎症である円背の老人が車椅子に座った場合、車椅子に座った円背の老人の多くは時間の経過に伴い車椅子の座面上の自分の体幹を支えることが困難となる。図９のような背もたれと座面との関係で示すと、その体幹が前屈みに傾いたり捻れたりして、背もたれ下部と円背の老人の骨盤との間に隙間ができ（同図９参照）、骨盤が支えられないため苦痛となり、その結果、一定時間快適に車椅子に座り続けることが困難であった。また傾き捻れて坐骨側が座面上で前方側にずれて車椅子からずり落ちることもあった。
【０００５】
この発明は、上記のような課題に鑑み、その課題を解決すべく創案されたものであって、その目的とするところは、背骨が前側に丸く曲がった脊椎後彎症である円背の老人が車椅子に座った場合に、その者の骨盤を支え、又膝裏側の大腿部を支え、さらに坐骨側が座面上で前方側にずれて車椅子からずり落ちるのを防いで、一定時間快適に車椅子に座り続けることのできる車椅子を提供することにある。
【課題を解決するための手段】
【０００６】
以上の課題を達成するために、請求項１の発明は、車椅子の背部側から座部側にわたって取り付けられる背座部ベースシートを備え、上記背部側から座部側に変わる箇所となるベースシート曲がり部の位置を前後に調整して上記背座部ベースシートを上記車椅子に取り付け、下端側に骨盤サポートを備えた背もたれクッションを上記背座部ベースシートの上記背部側の表面に取り付けて、当該背もたれクッション下端側の上記骨盤サポートを上記ベースシート曲がり部に対応させ、前部側の座面表面に上向きに凸状の膨らみ部を備えた座面クッションを上記背座部ベースシートの上記座部側の表面に取り付け、車椅子に座る背中が曲がった円背者の骨盤を上記背もたれクッションの下端側の骨盤サポートで支え、当該円背者の座骨の前方への滑りを上記座面クッションの前部側の膨らみ部で防ぐ手段よりなるものである。
【０００７】
また、請求項１の好ましい態様として、請求項２では、座面クッションの前端とその前方のキャスターとの間の下方に、足載せ用のフットレストが設けられる。請求項３では、骨盤サポートは、クッション材と、該クッション材に取り付けられた骨盤支持プレートからなる。また、請求項４では、座面クッションは、クッション材と、座面クッションの前部側のクッション材の下面側に取り付けられた骨盤支持プレートからなる。
【発明の効果】
【０００８】
この発明に係る請求項１の車椅子によれば、車椅子の背部側から座部側にわたって背座部ベースシートを取り付けるにあたり、背座部ベースシートのベースシート曲がり部の位置を調整して、下端側に骨盤サポートを備えた背もたれクッションを背部側の表面に取り付けることにより、車椅子に座る背中が曲がった円背者の骨盤を背もたれクッションの下端側の骨盤サポートで支えることができる。これにより、背中が曲がった円背者は、骨盤サポートで支えられて押し上げられる骨盤を支点として、重力を利用し、テコの原理により、円背者の体幹が後ろ方向に伸びて、顔もあがり、車椅子に座る姿勢を改善することができる。
しかも、座面クッションの前部側の表面に膨らみ部が形成されているため、車椅子に座る背中が曲がった円背者の臀部がこの膨らみ部に係止されて、車椅子に座る円背者の坐骨が前方側にずれるのを防ぐことができる。
さらに、前方に張り出す座面クッションの前部側で、車椅子の前端からはみ出す膝裏側の大腿部を、支持することができる。これにより、背中が曲がった円背者の膝裏側近くの大腿部が支持されないことに伴う、円背者の苦痛を解消することができる。
このように、車椅子に座る背中が曲がった円背者が車椅子に座る場合に、その者の骨盤を支え、膝裏側の大腿部を支え、さらに座骨が座面クッション上で前方側に滑り出して車椅子から滑り落ちるのを防ぐことで、円背者は一定時間快適に車椅子に座り続けることができる等、極めて新規的有益なる効果を奏するものである。
【０００９】
また、請求項２の発明では、上記の効果に加えて、座面クッションの前端とその前方のキャスターとの間の下方に、足載せ用のフットレストが設けられるので、従来のように、背中が曲がった円背者は前方にあるフットレストに足を乗せることができないことが多く、前方のフットレストに足を乗せようとすると坐骨を前に滑り出さざるを得なくなり、つまりお尻を前に出すことで対応することになって、さらに厳しく辛い姿勢になってしまい、背中で坐るような、いわゆるズッコケ坐りになってしまうことがあったが、これに対して、本願発明ではフットレストが足下近くにくるようになっているため、背中が曲がった円背者は坐骨を前に滑り出すことなくその両足をフットレストに乗せることができる。しかも、フットレストに足を乗せたままいきなり立ち上がっても、キャスターがフットレストの前方側に位置するため、車椅子が転倒することを防ぐことが可能となる。
【００１０】
また、請求項３の発明では、上記の効果に加えて、骨盤サポートは、クッション材と、該クッション材に取り付けられた骨盤支持プレートからなるので、背中が曲がった円背者の骨盤をクッション材で優しく下側から支えることができるうえ、骨盤支持プレートにより変形することなく、円背者の骨盤をしっかりと支えることができる。
【００１１】
また、請求項４の発明では、上記の効果に加えて、座面クッションは、クッション材と、座面クッションの前部側のクッション材の下面側に取り付けられた骨盤支持プレートからなるので、座面クッション前部側支持プレートにより変形することなく、前方に一部張り出した座面クッションの前部側が下向きに曲がらないようにしっかりと支えることができる。このため、座面クッションの前部側の膨らみ部が下向きに沈み込むことはなく、車椅子に座る円背者の坐骨が前方側に移動するのを、座面クッションの前部側の膨らみ部によって、確実に防ぐことができる。しかも、骨盤支持プレートがない場合、たるんだシートで太ももが中央に寄せられ窮屈な坐りになってしまうが、この骨盤支持プレートにより、この問題も解消できる。
【図面の簡単な説明】
【００１２】
【図１】この発明を実施するための形態を示す車椅子の概略側面図である。
【図２】この発明を実施するための形態を示す背座部ベースシート取り付け時の車椅子の概略斜視図である。
【図３】この発明を実施するための形態を示す背もたれクッション取り付け時の車椅子の概略斜視図である。
【図４】この発明を実施するための形態を示す座部取り付け時の車椅子の概略斜視図である。
【図５】（Ａ）はこの発明を実施するための形態を示す背もたれクッションの断面図である。  （Ｂ）はこの発明を実施するための形態を示す背もたれクッションの取り付け位置の部分断面図である。
【図６】この発明を実施するための形態を示す座面クッションの断面図である。
【図７】この発明を実施するための形態を示す原理説明図である。
【図８】この発明を実施するための形態を示す他例の車椅子の概略斜視図である。
【図９】従来説明図である。
【発明を実施するための形態】
【００１３】
以下、図面に記載の発明を実施するための形態に基づいて、この発明をより具体的に説明する。
【００１４】
図において、車椅子１には、これに座る背中が曲がった円背者ａの背中側となる背部側２には上下方向に延びる左右一対の背部フレーム２１が設けられ、これに座る背中が曲がった円背者ａの臀部側となる座部側３には左右の各背部フレーム２１の下部側から前方に略水平に延びる一対の側部フレーム３１が設けられている。
【００１５】
左右の各背部フレーム２１は、左右の側部フレーム３１の後部側に、それぞれ上向きに後方に向けて少し傾いた状態で取り付けられている。左右の背部フレーム２１の上部側は後方に向けて水平状に折り曲げられて把手２２が取り付けられている。左右の把手２２は介護者がこの車椅子１を操作する場合に手で握る箇所である。
【００１６】
左右の上向きに傾斜する背部フレーム２１の上部間には、背もたれシート２３が取り付けられている。即ち、背もたれシート２３の左端側は左側の背部フレーム２１に取り付けられ、同様に背もたれシート２３の右端側は右側の背部フレーム２１に取り付けられている。背もたれシート２３はその両端が左右の背部フレーム２１によって支持されている。
【００１７】
背もたれシート２３は、その上側に取り付けられる背座部ベースシート４の背部側２、及び背もたれクッション５を支え、これを通じて車椅子１に座る背中が曲がった円背者ａの背中側を支える。背もたれシート２３は、車椅子１が折り畳まれるとき、中央が屈曲するように柔軟性のある屈曲自在なシートが使用されている。
【００１８】
左右の側部フレーム３１の上方には肘掛け３２がそれぞれ取り付けられている。左右の各肘掛け３２は、例えば側部フレーム３１の前後から上向きに取り付けられた前後の各肘掛け支持フレーム３２ａにより、前後側の下部が支持されている。
【００１９】
左右の前後向きに略水平な側部フレーム３１の間には、座面シート３３が取り付けられている。即ち、座面シート３３の左端側は左側の側部フレーム３１に取り付けられ、同様に座面シート３３の右端側は右側の側部フレーム３１に取り付けられている。座面シート３３はその両端が左右の側部フレーム３１によって支持されている。
【００２０】
座面シート３３は、その上側に取り付けられる背座部ベースシート４の座部側３、及び座面クッション６を支え、これを通じて車椅子１に座る背中が曲がった円背者ａの臀部側を支える。座面シート３３は、車椅子１が折り畳まれるとき、中央が屈曲するように柔軟性のある屈曲自在なシートが使用されている。
【００２１】
背座部ベースシート４は、車椅子１の背部側２から座部側３にわたって取り付けられる。この背座部ベースシート４の背部側２の表面には背もたれクッション５が取り付けられ、背座部ベースシート４の座部側３の表面には座面クッション６が取り付けられる。背座部ベースシート４は背もたれクッション５の傾き、骨盤サポートの位置、それに座面クッション６の前後位置を調整する機能を果たす。
【００２２】
背座部ベースシート４は、その一端側４１が、車椅子１の左右の背部フレーム２１の上部間に取り付けられた背もたれシート２３に取り付けられて保持されている。背部側２から座部側３にわたって取り付けられる背座部ベースシート４は、座部側３に延びる他端側４２が座部側３の座面シート３３に保持されている。
【００２３】
座面シート３３の前部側にはその表面に面ファスナー３３ａが取り付けられている。また背座部ベースシート４の他端側４２の裏面側には座面シート３３の面ファスナー３３ａと止着する図示しない面ファスナー或いはカバーが取り付けられている。これにより背座部ベースシート４の他端側４２は座面シート３３に保持されている。
【００２４】
背座部ベースシート４は、その幅は左右の背部フレーム２１の間隔より狭く、長さは背部側２と座部側３の合計長さ近くあり、座部側３の前部側になるその他端側４２は中央に切れ目があり左右に分かれていて、背座部ベースシート４の他端側４２を手前側に引き出すときに、左右に分かれている部分をそれぞれ掴んで引き出し易いようになっている。
【００２５】
車椅子１に取り付けられる背座部ベースシート４は、側面からみて、車椅子１の背部側２の上部側に一端側４１が保持され、背部側２を前方に向けて斜め下向きに傾斜し、背部側２と座部側３との境界付近で略水平に曲がって座部側３の前部付近に延びて保持される構造になる。そして背部側２から座部側３に変わる箇所となる背座部ベースシート４のベースシート曲がり部４ａが、車椅子１に座る背中が曲がった円背者ａの骨盤を支持する位置になる。
【００２６】
この円背者ａの骨盤を支持する位置に対応するベースシート曲がり部４ａは、背座部ベースシート４の他端側４２の引き出し状態を調整することで、その曲がり部分４ａの前後位置を調整することができる。例えば、背座部ベースシート４の他端側４２をより手前側つまり座部側３の前部側に引き出すことで、ベースシート曲がり部４ａは座部側３の前部側寄りの位置に移動させることができる。
【００２７】
前記したように、背座部ベースシート４の表面には、背もたれクッション５及び座面クッション６がそれぞれ取り付けられる。このため、背もたれクッション５が取り付けられる背部側２の背座部ベースシート４の表面には背部面ファスナー４３がその左右にそれぞれ取り付けられている。同様に、座部側３の背座部ベースシート４の左右に別れた他端側４２の表面には座部面ファスナー４４がその左右両側にそれぞれ取り付けられている。
【００２８】
背もたれクッション５は、車椅子１に座る背中が曲がった円背者ａの背中側を支えるもので、前記の背座部ベースシート４の背部側２の表面に取り付けられている。背もたれクッション５の幅は左右の背部フレーム２１の間にちょうど収まる長さで、又背もたれクッション５の上下高さは背座部ベースシート４のベースシート曲がり部４ａから背座部ベースシート４の一端側４１までの長さほどである。この背もたれクッション５の裏面側には背部面ファスナー４３と止着する面ファスナー５ａが取り付けられている。これにより背もたれクッション５は背座部ベースシート４の背部側２に保持されている。
【００２９】
背もたれクッション５の下部側の内部には、車椅子１に座る背中が曲がった円背者ａの骨盤を支える骨盤サポート５１が設けられている。背もたれクッション５の下部側の骨盤サポート５１が、車椅子１に座る背中が曲がった円背者ａの骨盤を支える位置に、つまり背座部ベースシート４のベースシート曲がり部４ａにくるように、背もたれクッション５は背座部ベースシート４に取り付けられる。このとき、背座部ベースシート４も背部側２と座部側３との間に背もたれクッション５の骨盤サポート５１がそのような位置にくるように調整して取り付けられる。背座部ベースシート４の取り付け位置はその他端側４２を引き出すことで調整される。
【００３０】
骨盤サポート５１は、背中が曲がった円背者ａの骨盤を優しく下側から支えることができるように、例えばウレタン製のクッション材で構成されている。骨盤サポート５１の幅は背もたれクッション５の幅と同程度であり、骨盤サポート５１の上下高さは背もたれクッション５の高さの半分程度である。骨盤サポート５１は背もたれクッション５の下端側から背もたれクッション５の半分の高さ程度までの範囲に設けられている。
【００３１】
骨盤サポート５１は円背者ａの骨盤に対応する箇所の下端側が最もクッション材の厚みがあるように構成されて、背中が曲がった円背者ａの骨盤を優しく下側から支えることができるように配慮されている。骨盤サポート５１のクッション材は背中の上側に向かって徐々にその厚みが薄くなりながら、背もたれクッション５の高さ方向の中間付近まで延びている。
【００３２】
また、骨盤サポート５１の下端側の最もクッション材の厚みがある部位には、背中が曲がった円背者ａの骨盤をしっかりと支えることができるように、簡単には変形しない骨盤支持プレート５１ａが取り付けられている。骨盤支持プレート５１ａは円背者ａの骨盤に触れる側の反対となるクッション材の裏面側に取り付けられている。つまり、骨盤支持プレート５１ａは厚みのあるクッション材を介して円背者ａの骨盤側を支える構成になっている。この骨盤支持プレート５１ａには例えば厚み３mmの樹脂板が使用されている。骨盤支持プレート５１ａはクッション材に接着剤などで接着されている。
【００３３】
座面クッション６は、車椅子１に座る背中が曲がった円背者ａが直に座る箇所で、円背者ａの臀部及び大腿部側を支える。座面クッション６は前記の背座部ベースシート４の座部側３の表面に取り付けられている。座面クッション６の幅は左右の側部フレーム３１の間にちょうど収まる長さで、又座面クッション６の前後長さは座部側３にちょうど収まる長さである。
【００３４】
ただ、座面クッション６を前方側にずらした場合には、背座部ベースシート４のベースシート曲がり部４ａから背座部ベースシート４の他端側４２及び座面シート３３の前端より前方に張り出すほどの長さがある。この座面クッション６の裏面側には座部面ファスナー４４と止着する面ファスナー６ａが取り付けられている。これにより座面クッション６は背座部ベースシート４の座部側３に保持されている。
【００３５】
座面クッション６の内部は、車椅子１に座る背中が曲がった円背者ａの臀部及び大腿部側を優しく下側から支えることができるように、例えばウレタン製の厚みのあるクッション材で構成されている。円背者ａが車椅子１に座る場合の座り心地を高めている。
【００３６】
車椅子１に座った背中が曲がった円背者ａは、時間の経過に伴い自分の体幹を支えることが困難となり、また背中が曲がっていて、曲がった背中が背もたれクッション５に当接して支持されるため、必然的に坐骨が前方側にせり出し、背中の曲がり具合が大きくなるほど、坐骨側が前方にずれる。そこで、この座面クッション６には車椅子１に座る円背者ａの坐骨側が前方側にずれるのを防ぐための坐骨滑り止め機能が備えられている。
【００３７】
座面クッション６の坐骨滑り止め機能は、円背者ａの臀部が乗らない座面クッション６の前部側が、臀部が乗る後部側よりも少し高くなる膨らみ部６１が形成された構造からなっている。座面クッション６の前部側の座面表面には臀部が乗る後部側の座面表面より上向きに凸状の膨らみ部６１があることにより、円背者ａの臀部はこの膨らみ部６１に係止されて、車椅子１に座る円背者ａの坐骨が前方側にずれるのが防がれる。
【００３８】
また、座面クッション６の膨らみ部６１が形成された前部側の下面側の部位には、座面シート３３の前端から前方に一部張り出した座面クッション６の前部側が下向きに曲がらないようにしっかりと支えることができるように、簡単には変形しない座面クッション前部側支持プレート６１ａが取り付けられている。この座面クッション前部側支持プレート６１ａには例えば厚み３mmの樹脂板が使用されている。座面クッション前部側支持プレート６１ａは座面クッション６の内部のクッション材の下面側に接着剤などで接着されている。
【００３９】
車椅子１を構成する左右の背部フレーム２１、側部フレーム３１の外側方には、車椅子１を前後方向に移動させるための主車輪７がそれぞれ回転自在に取り付けられている。また、左右の側部フレーム３の前部側の下部には、主車輪７に比べて小さなキャスター７１がそれぞれ取り付けられている。左右の各キャスター７１はその向きが３６０度方向に自由に旋回自在になっている。
【００４０】
また、車椅子１の左右の側部フレーム４の前部側には足載せ用のフットレスト８がそれぞれ取り付けられている。図１に示すように、左右の各フットレスト８は、左右の各キャスター７１より座面クッション６側に取り付けられている。つまりキャスター７１はフットレスト８より前方側に位置する。左右のフットレスト８は座面シート３３の前端の真下側に位置するように取り付けられている。
【００４１】
背中が曲がった円背者ａは前方にあるフットレスト８に足を乗せることができないことが多く、前方のフットレストに足を乗せようとすると坐骨を前に滑り出さざるを得なくなり、
つまりお尻を前に出すことで対応することになって、さらに厳しく辛い姿勢になってしまう。背中で坐るような、いわゆるズッコケ坐りになってしまう。
【００４２】
これに対して、本願発明では座面シート３３の前端の真下位置にフットレスト８がくるようになっているため、背中が曲がった円背者ａは坐骨を前に滑り出すことなくその両足をフットレスト８に乗せることができる。しかも、フットレスト８に足を乗せたままいきなり立ち上がっても、キャスター７１がフットレスト８の前方側に位置するため、車椅子１が転倒することを防ぐことが可能となる。
【００４３】
次に、上記発明を実施するための形態の構成に基づく車椅子の使用方法（図２〜図４参照）及び作用（図７参照）について、以下説明する。
背中が曲がった円背者ａが車椅子１に座る前に、図２に示すように、車椅子１の背部側２及び座部側３にわたって背座部ベースシート４を取り付ける。すなわち、背座部ベースシート４の一端側４１を、背部側２の上部側の間に設けられた背もたれシート２３に取り付ける。これにより、背座部ベースシート４の一端側４１は背もたれシート２３に保持されることになる。
【００４４】
このあと、背座部ベースシート４の他端側４２を手前に引いて、車椅子１に座る円背者ａの骨盤の位置にベースシート曲がり部４ａの位置が対応するように調整する。背座部ベースシート４は背部側２を斜め下向きに傾斜し、ベースシート曲がり部４ａで略水平向きに曲がり、座面シート３３の表面に載る。座面シート３３の表面には面ファスナー３３ａが取り付けられているので、座面シート３３側にくる背座部ベースシート４の裏面側の一部は面ファスナー３３ａにより止着されて保持され、前後左右にずれることはない。
【００４５】
背座部ベースシート４を車椅子１の背部側２及び座部側３にわたって取り付けた後、図３に示すように、背座部ベースシート４の背部側２に、下端側に骨盤サポート５１を備えた背もたれクッション５を取り付ける。背もたれクッション５は、その裏面側に取り付けられた面ファスナー５ａが背座部ベースシート４の背部側２に取り付けられている背部面ファスナー４３に止着されて保持され、前後左右にずれることはない。このとき、背もたれクッション５の下端側の骨盤サポート５１は、ベースシート曲がり部４ａの箇所に位置することになる。
【００４６】
続いて、図４に示すように、背座部ベースシート４の座部側３に、座面クッション６を取り付ける。座面クッション６は、その下面側に取り付けられた面ファスナー６ａが背座部ベースシート４の座部側３に取り付けられている座部面ファスナー４４に止着されて保持され、前後左右にずれることはない。このとき、座面クッション６の前端は一般に座面シート３３の前端より前方に張り出す状態になる。これは背座部ベースシート４のベースシート曲がり部４ａが座面シート３３の前部側寄りに位置するためである。つまり、座面クッション６はその後端がベースシート曲がり部４ａに位置し、そこから座面クッション６の前端がその前後長さだけ前方に位置するからである。
【００４７】
以上のようにして、背もたれクッション５及び座面クッション６を車椅子１に取り付けた後に、背中が曲がった円背者ａは車椅子１に座る。車椅子１に座ると、背中が曲がった円背者ａの座骨は、背もたれクッション５の下端側に位置することになるが、この箇所には骨盤サポート５１が取り付けられているので、骨盤サポート５１によって支えられることになる。
【００４８】
そして、図７の原理説明図に示すように、背中が曲がった円背者ａは、骨盤サポート５１で支えられて押し上げられる骨盤を支点として、重力を利用し、テコの原理により、円背者ａの体幹が後ろ方向に伸びて、顔もあがり、車椅子１に座る姿勢を改善することができる。これと相まって、座面クッション６の前部側の表面に膨らみ部６１が形成されているため、円背者ａの臀部がこの膨らみ部６１に係止されて、車椅子１に座る円背者ａの坐骨が前方側にずれるのを防ぐことができる。
【００４９】
しかも、この場合において、座面シート３３の前端より前方に張り出す座面クッション６の前部側は、その下面側が座面クッション前部側支持プレート６１ａにより支持されるので、車椅子１に座る円背者ａの坐骨が前方側に移動する力が作用しても、下向きに曲がることがない。このため、座面クッション６の前部側の膨らみ部６１が下向きに沈み込むことはなく、車椅子１に座る円背者ａの坐骨が前方側に移動するのを、座面クッション６の前部側の膨らみ部６１によって、確実に防ぐことができる。
【００５０】
さらに、座面シート３３の前端より前方に張り出す座面クッション６の前部側で、車椅子１の座面シート３３の前端からはみ出す膝裏側の大腿部を、支持することができる。これにより、背中が曲がった円背者ａの膝裏側近くの大腿部が支持されないことに伴う、円背者ａの苦痛を解消することができる。
【００５１】
また、座面シート３３の前端の真下位置にフットレスト８がくるようになっているため、背中が曲がった円背者ａは坐骨を前に滑り出すことなくその両足をフットレスト８に乗せることができ、両足が支持されないことに伴う、円背者ａの苦痛を解消することができる。さらにまた、フットレスト８に足を乗せたままいきなり立ち上がっても、キャスター７１がフットレスト８の前方側に位置するため、車椅子１が転倒することを防ぐことが可能となる。
【００５２】
ところで、図８に示す他例においては、背中が曲がった円背者ａでない者が本願発明の車椅子１に座る場合には、背座部ベースシート４を車椅子１に取り付けるにあたり、ベースシート曲がり部４ａが座面シート３３の後端に位置するように、背座部ベースシート４の他端側４２を手前側に引き寄せないで調整する。すると、背もたれクッション５の下端側の骨盤サポート５１は座面シート３３の後端に位置することになり、通常の車椅子として、背中が曲がっていない者も、使用することが可能となる。
【００５３】
なお、この発明は上記発明を実施するための形態に限定されるものではなく、この発明の精神を逸脱しない範囲で種々の改変をなし得ることは勿論である。
【符号の説明】
【００５４】
１    車椅子
２    背部側
２１    背部フレーム
２２    把手
２３    背もたれシート
３    座部側
３１    側部フレーム
３２    肘掛け
３２ａ  肘掛け支持フレーム
３３    座面シート
３３ａ  面ファスナー
４    背座部ベースシート
４ａ  ベースシート曲がり部
４１    一端側
４２    他端側
４３    背部面ファスナー
４４    座部面ファスナー
５    背もたれクッション
５ａ  面ファスナー
５１    骨盤サポート
５１ａ  骨盤支持プレート
６    座面クッション
６ａ  面ファスナー
６１    膨らみ部
６１ａ  座面クッション前部側支持プレート
７    主車輪
７１    キャスター
８    フットレスト
【図１】
2019058357.tif 000003
【図２】
2019058357.tif 000004
【図３】
2019058357.tif 000005
【図４】
2019058357.tif 000006
【図５】
2019058357.tif 000007
【図６】
2019058357.tif 000008
【図７】
2019058357.tif 000009
【図８】
2019058357.tif 000010
【図９】
2019058357.tif 000011